(57)【特許請求の範囲】
【請求項１】
表示装置と、
楽譜データを記録する楽譜データ記録手段と、
前記楽譜データに基づいて画像データを作成する画像作成手段と、
操作者によって指定された前記表示装置の画面上の位置を検出する位置検出手段と、
前記位置検出手段によって検出された位置の軌跡に対応する手書きデータを生成する手書きデータ生成手段と、
前記画像作成手段によって作成された画像データと、前記手書きデータ生成手段によって生成された手書きデータとをそれぞれ異なるレイヤで管理することによって、前記画像データに対応する画像と、前記手書きデータに対応する手書き画像とを前記表示装置に重ねて表示させる表示制御手段と、
前記手書きデータに、前記手書きデータの表示位置に対応する小節又は楽音を特定する付加情報を付加する情報付加手段と、
前記情報付加手段により付加情報が付加された手書きデータを外部に送信する送信手段と
を有する情報処理装置。
【請求項２】
外部から送信された手書きデータおよび付加情報を受信する受信手段をさらに有し、
前記表示制御手段が、前記付加情報により特定される小節又は楽音に対応する位置に、前記受信手段により受信した手書きデータを表示させる
ことを特徴とする請求項１に記載の情報処理装置。
【請求項３】
前記楽譜データが、複数の楽器パートの楽譜データを含み、
前記情報付加手段が、前記手書きデータの表示位置に近接する楽器パートを検出し、検出した楽器パートを特定する情報をさらに含む付加情報を前記手書きデータに付加する
ことを特徴とする請求項１に記載の情報処理装置。
【請求項４】
外部から送信された手書きデータおよび付加情報を受信する受信手段と、
前記受信手段により受信した手書きデータに付加された付加情報により特定される楽器パートが、当該情報処理装置においてあらかじめ設定されている楽器パートと一致するか判定する判定手段と、
前記判定手段により、前記受信手段により受信した手書きデータに付加された付加情報により特定される楽器パートが当該情報処理装置においてあらかじめ設定されている楽器パートと一致すると判定された場合、前記受信手段により受信された手書きデータを前記表示制御手段に出力する出力手段と
を有する請求項３に記載の情報処理装置。
【請求項５】
前記判定手段により、前記受信手段により受信した手書きデータに付加された付加情報により特定される楽器パートが当該情報処理装置においてあらかじめ設定されている楽器パートと一致しないと判定された場合、前記受信手段により受信された手書きデータを削除する削除手段をさらに有する請求項４に記載の情報処理装置。
【請求項６】
表示装置を有する情報処理装置の制御方法であって、
前記楽譜データに基づいて画像データを作成する画像作成ステップと、
操作者によって指定された前記表示装置の画面上の位置を検出する位置検出ステップと、
前記位置検出ステップにおいて検出された位置の軌跡に対応する手書きデータを生成する手書きデータ生成ステップと、
前記画像データと、前記手書きデータとをそれぞれ異なるレイヤで管理することによって、前記画像データに対応する画像と、前記手書きデータに対応する手書き画像とを前記表示装置に重ねて表示させる表示制御ステップと、
前記手書きデータに、前記手書きデータの表示位置に対応する小節又は楽音を特定する付加情報を付加する情報付加ステップと、
前記付加情報が付加された手書きデータを外部に送信する送信ステップと
を有する情報処理装置の制御方法。
【請求項７】
表示装置を有するコンピュータを、
楽譜データを記録する楽譜データ記録手段と、
前記楽譜データに基づいて画像データを作成する画像作成手段と、
操作者によって指定された前記表示装置の画面上の位置を検出する位置検出手段と、
前記位置検出手段によって検出された位置の軌跡に対応する手書きデータを生成する手書きデータ生成手段と、
前記画像作成手段によって作成された画像データと、前記手書きデータ生成手段によって生成された手書きデータとをそれぞれ異なるレイヤで管理することによって、前記画像データに対応する画像と、前記手書きデータに対応する手書き画像とを前記表示装置に重ねて表示させる表示制御手段と、
前記手書きデータに、前記手書きデータの表示位置に対応する小節又は楽音を特定する付加情報を付加する情報付加手段と、
前記情報付加手段により付加情報が付加された手書きデータを外部に送信する送信手段と
を有する情報処理装置として機能させるプログラム。
【請求項８】
表示装置を有するコンピュータを、
楽譜データを記録する楽譜データ記録手段と、
前記楽譜データに基づいて画像データを作成する画像作成手段と、
操作者によって指定された前記表示装置の画面上の位置を検出する位置検出手段と、
前記位置検出手段によって検出された位置の軌跡に対応する手書きデータを生成する手書きデータ生成手段と、
前記画像作成手段によって作成された画像データと、前記手書きデータ生成手段によって生成された手書きデータとをそれぞれ異なるレイヤで管理することによって、前記画像データに対応する画像と、前記手書きデータに対応する手書き画像とを前記表示装置に重ねて表示させる表示制御手段と、
前記手書きデータに、前記手書きデータの表示位置に対応する小節又は楽音を特定する付加情報を付加する情報付加手段と、
前記情報付加手段により付加情報が付加された手書きデータを外部に送信する送信手段と
を有する情報処理装置として機能させるプログラムを記録したコンピュータ読み取り可能な記録媒体。
【発明の詳細な説明】
【０００１】
【発明の属する技術分野】
本発明は、情報処理装置およびその制御方法、制御プログラムおよび記録媒体に関し、表示画像に手書き入力を行い、この画像の保存および送受信を行う技術に関する。
【０００２】
【従来の技術】
従来より、パーソナルコンピュータ（以下、「ＰＣ」という。）で利用可能なソフトウェアには、楽譜を表示させる音楽用ソフトウェアがある。また、この種の音楽用ソフトウェアには、ＰＣに接続されたＭＩＤＩ（Musical Instrument Digital Interface）キーボードから演奏のＭＩＤＩデータを入力し、画面に表示した楽譜（以下、「電子楽譜」という。）に弾き間違えた箇所（音符）を表示できるものがある。これにより、ＰＣのユーザは、鍵盤演奏の練習を自身で行うことができるようになっている。
【０００３】
また、近年では、一般家庭へのパーソナルコンピュータ（以下、「ＰＣ」という。）の普及を背景として、インターネットを利用して楽器演奏のレッスンを行うサービスが提供され始めている。このサービスは、生徒が上述した音楽用ソフトウェアなどを利用して楽器を演奏した後、自身の演奏ＭＩＤＩデータや質問を電子メールにて先生宛に送信すると、先生から電子メールにてアドバイスが送信されてくるというものである。
【０００４】
【発明が解決しようとする課題】
しかしながら、一般的な紙ベースの楽譜と比較すると、電子楽譜には、自由に注意書きやメモを書き込むことができない分、使い勝手に劣る部分があった。また、上述したインターネットによる楽器演奏のレッスンでは、先生と生徒が電子メールにて情報交換を行うので、リアルタイムでレッスンを行うことはできなかった。
【０００５】
本発明は、上述した事情に鑑みてなされたものであり、電子楽譜などの表示画像に自由に書き込みができ、演奏練習などに好適な情報処理装置およびその制御方法、制御プログラムおよび記録媒体を提供することを目的としている。
【０００６】
【課題を解決するための手段】
上述課題を解決するため、請求項１に記載の発明は、情報処理装置において、表示装置と、表示用のデータを記録する表示用データ記録手段と、前記表示用のデータに基づいて画像データを作成する画像作成手段と、操作者によって指定された前記表示装置の画面上の位置を検出する位置検出手段と、前記画像作成手段によって作成された画像データと、前記位置検出手段によって検出された位置の軌跡に対応する手書きデータとをそれぞれ異なるレイヤで管理することによって、前記画像データに対応する画像と、前記手書きデータに対応する手書き画像とを前記表示装置に重ねて表示させる表示制御手段とを備え、前記表示制御手段は、前記画像データに対応する画像を頁単位で予め定めたレイヤに表示させ、前記手書きデータに対応する手書き画像を、前記レイヤと異なる他のレイヤにリアルタイムで表示させるとともに、当該手書きデータを、その時点に表示している前記画像の頁と対応づけて記憶しておき、その頁の画像を前記レイヤに再表示した時に当該手書きデータに対応する手書き画像を前記他のレイヤに表示させることを特徴としている。
【０００７】
この構成によれば、予め記録してある画像データの画像と、位置検出手段によって検出された位置の軌跡に対応する手書きデータの手書き画像とをそれぞれ異なるレイヤにリアルタイムで表示するとともに、手書きデータをその時点に表示している前記画像の頁と対応づけて記憶しておき、その頁の画像が再表示された時に当該手書きデータに対応する手書き画像を表示するので、表示された画像の頁毎に書き込みを行うことができ、手書き画像が書き込まれた画像の頁が再表示された時に、その手書き画像を再表示させることができる。また、画像データの画像と、手書きデータの手書き画像とは異なるレイヤに表示されるので、レイヤの表示／非表示の切り替えを行えば、手書き画像だけを非表示にすることも簡易に行うことができる。
【０００８】
また、本発明は、情報処理装置の制御方法において、表示用データ記録手段に記録された表示用データに基づいて画像データを作成する画像作成ステップと、操作者によって指定された表示装置の画面上の位置を検出する位置検出ステップと、前記画像データと、検出した前記位置の軌跡に対応する手書きデータとをそれぞれ異なるレイヤで管理することによって、前記画像データに対応する画像と、前記手書きデータに対応する手書き画像とを前記表示装置に重ねて表示させる表示制御ステップとを有し、前記表示制御ステップにおいては、前記画像データに対応する画像を頁単位で予め定めたレイヤに表示させ、前記手書きデータに対応する手書き画像を、前記レイヤと異なる他のレイヤにリアルタイムで表示させるとともに、当該手書きデータを、その時点に表示している前記画像の頁と対応づけて記憶しておき、その頁の画像を前記レイヤに再表示した時に当該手書きデータに対応する手書き画像を前記他のレイヤに表示させることを特徴としている。
【０００９】
この構成によれば、上述と同様に、表示された画像の頁毎に書き込みを行うことができ、手書き画像が書き込まれた画像の頁が再表示された時に、その手書き画像を再表示させることができる。また、手書き画像だけを非表示にすることも簡易に行うことができる。
【００１０】
また、本発明は、制御プログラムにおいて表示装置と、操作者によって指定された前記表示装置の画面上の位置を検出する位置検出手段を有するコンピュータを、表示用のデータを記録する表示用データ記録手段と、前記表示用のデータに基づいて画像データを作成する画像作成手段と、前記画像作成手段によって作成された画像データと、前記位置検出手段によって検出された位置の軌跡に対応する手書きデータとをそれぞれ異なるレイヤで管理することによって、前記画像データに対応する画像と、前記手書きデータに対応する手書き画像とを前記表示装置に重ねて表示させる表示制御手段として機能させるための制御プログラムであって、前記表示制御手段は、前記画像データに対応する画像を頁単位で予め定めたレイヤに表示させ、前記手書きデータに対応する手書き画像を、前記レイヤと異なる他のレイヤにリアルタイムで表示させるとともに、当該手書きデータを、その時点に表示している前記画像の頁と対応づけて記憶しておき、その頁の画像を前記レイヤに再表示した時に当該手書きデータに対応する手書き画像を前記他のレイヤに表示させる手段として機能させることを特徴としている。
【００１１】
この構成によれば、この制御プログラムをコンピュータにインストールすれば、そのコンピュータに、予め記録してある画像データの画像と、位置検出手段によって検出された位置の軌跡に対応する手書きデータの手書き画像とをそれぞれ異なるレイヤにリアルタイムで表示させるとともに、手書きデータをその時点に表示している前記画像の頁と対応づけて記憶しておき、その頁の画像が再表示された時に当該手書きデータに対応する手書き画像を表示させることができるので、表示された画像の頁毎に書き込みを行うことができ、手書き画像が書き込まれた画像の頁が再表示された時に、その手書き画像を再表示させることができる。また、手書き画像だけを非表示にすることも簡易に行うことができる。
【００１２】
また、本発明は、コンピュータ読み取り可能な記録媒体において、表示装置と、操作者によって指定された前記表示装置の画面上の位置を検出する位置検出手段を有するコンピュータを、表示用のデータを記録する表示用データ記録手段と、前記表示用のデータに基づいて画像データを作成する画像作成手段と、前記画像作成手段によって作成された画像データと、前記位置検出手段によって検出された位置の軌跡に対応する手書きデータとをそれぞれ異なるレイヤで管理することによって、前記画像データに対応する画像と、前記手書きデータに対応する手書き画像とを前記表示装置に重ねて表示させる表示制御手段として機能させるための制御プログラムであって、前記表示制御手段は、前記画像データに対応する画像を頁単位で予め定めたレイヤに表示させ、前記手書きデータに対応する手書き画像を、前記レイヤと異なる他のレイヤにリアルタイムで表示させるとともに、当該手書きデータを、その時点に表示している前記画像の頁と対応づけて記憶しておき、その頁の画像を前記レイヤに再表示した時に当該手書きデータに対応する手書き画像を前記他のレイヤに表示させる手段として機能させる制御プログラムを記録したことを特徴としている。
【００１３】
この構成によれば、この制御プログラムを記録媒体から読み出してコンピュータが実行すれば、そのコンピュータに、上述と同様に、表示された画像の頁毎に書き込みを行うことができ、手書き画像が書き込まれた画像の頁が再表示された時に、その手書き画像を再表示させることができる。また、手書き画像だけを非表示にすることも簡易に行うことができる。
【００１４】
【発明の実施の形態】
以下、図面を参照して本発明の実施形態を詳述する。以下に示す実施形態は、本発明の一態様を示すものであり、この発明を限定するものではなく、本発明の範囲内で任意に変更可能である。
【００１５】
（１）  実施形態の構成
（１．１）  楽譜型情報処理装置の外観構成
図１は、本発明の実施形態に係る楽譜型情報処理装置の外観図である。この楽譜型情報処理装置１は、一般的な紙ベースの楽譜とほぼ同様の大きさに形成され、演奏時に譜面台などに載せて、演奏者が紙ベースの楽譜に代えて使用することができる装置である。
【００１６】
図１に示すように、この楽譜型情報処理装置１は、略矩形形状の薄型ボディからなり、左右に楽譜などを表示する表示画面２、３を有している。この表示画面２、３は、図２に示すように、液晶表示パネル１０Ａ、１０Ｂの上面に透明のタッチパネル１１Ａ、１１Ｂを各々設けて構成され、指やスタイラスペンによる表示画面２、３の押圧操作と押圧位置とがタッチパネル１１Ａ、１１Ｂによって検出できるようになっている。また、図１において、４は、電源スイッチなどを含む操作スイッチ群である。すなわち、この楽譜型情報処理装置１は、演奏者からの指示を操作スイッチ群４の操作や表示画面２、３の押圧操作を介して入力するようになっている。
【００１７】
また、この楽譜型情報処理装置１の左側の筐体５と右側の筐体６は、ヒンジ機構Ｓによって回転可能に連結され、ノートブックや楽譜（楽譜集）と同じように、開閉可能に構成されている。これにより、この楽譜型情報処理装置１は、図３に示すように、左右の筐体５、６を閉じることによって、全体形状を小さくでき、持ち運びを容易に行うことができる。また、この閉状態では、表示画面２、３などが外部に露出しないのでこれらが破損する場合などを防止することができる。
【００１８】
また、この楽譜型情報処理装置１は、カメラ７、マイクロホン８およびスピーカ９を有している。カメラ７は、開状態（図１の状態）でこの楽譜型情報処理装置１の前面、つまり、表示された楽譜を見て演奏を行う演奏者を撮影するために設けられている。マイクロホン８は、指向性を有するマイクロホンが適用され、開状態でこの楽譜型情報処理装置１の前面からの音声、つまり、演奏者の演奏音や音声を入力するために設けられている。また、スピーカ９は、この楽譜型情報処理装置１に記録されたＭＩＤＩデータまたは音声データから生成した音声を放音するためのものである。また、この楽譜型情報処理装置１は、メモリカードのリーダ／ライタ１２を内蔵しており、図示しない側面位置にメモリカード用のスロットを有している。
【００１９】
（１．２）  楽譜型情報処理装置の電気的構成
次に、図４を参照して、楽譜型情報処理装置１の電気的構成を説明する。同図において、ＣＰＵ（Central Processing unit）２０は、バス（BUS）２１を介して接続された各部の動作を制御することにより、楽譜型情報処理装置１全体を制御する。また、ＣＰＵ２０は、液晶表示パネル１０Ａ、１０Ｂを駆動して各種画像を表示させる表示制御を行う際は、表示画像を複数のレイヤ構造で表示する表示制御を行う。レイヤ表示については後段の楽譜型情報処理装置１の処理内容で説明する。
【００２０】
ＲＡＭ（Random Access Memory）２２は、ＣＰＵ２０のバッファメモリやワークメモリとして使用されるメモリであり、イメージデータやプログラムデータなどが一時記憶される。また、制御プログラムメモリ２３、楽譜データメモリ２４、ユーザデータメモリ２５は、例えば、磁気ディスクまたはＥＥＰ−ＲＯＭ（Electrically Erasable Programmable Read Only Memory）などの記録装置から構成されており、制御プログラムメモリ２３には、ＣＰＵ２０に各種の処理（楽譜表示処理など）を行わせるための処理手順を示した制御プログラム群が記録されている。また、楽譜データメモリ２４には、複数の楽曲の楽譜データが記録されており、ユーザデータメモリ２５には、撮影データや録音データなどの画像や音声のデータなどが記録されるようになっている。
【００２１】
無線通信部２６は、ＣＰＵ２０の制御の下に図示しないアンテナを介して外部機器と無線でデータ通信を行うものであり、例えば、Bluetooth（登録商標）などの無線モジュールが適用される。楽譜型情報処理装置１では、この無線通信部２６によって図示しないルータを介してインターネットに接続したり、他の楽譜型情報処理装置１やＰＣなどとデータ通信を行うようになっている。
【００２２】
また、ＭＩＤＩインターフェース２７は、この楽譜型情報処理装置１とＭＩＤＩインターフェースを備える電子楽器やＰＣとの間でＭＩＤＩデータを通信するためのものである。また、音源２８は、ＣＰＵ２０の制御の下に音声データまたはＭＩＤＩデータから音声信号を生成し、図示しないディジタルアナログ変換回路を介してスピーカ９から放音させるものである。
【００２３】
（１．３）  楽譜データの構成
次に本実施形態で用いる楽譜データについて説明する。
図５に示すように、楽譜データＤＭは、音高情報、リズム情報および頁情報のフィールドを含んでおり、音高情報には、さらに音階情報とオクターブ情報とが含まれている。
【００２４】
音階情報は、「ド（Ｃ）」などの音階を数字を用いて表しており、具体的には、「ド」＝「０」を基準に半音の幅を「１」として音階を指定している。例えば、「１」は、「ド」より半音高い「ド＃１」を表し、「２」は、「ド」よりも１音高い「レ」を表している。
【００２５】
また、オクターブ情報は、基準音に対するオクターブの高低を正負符号「＋」および「−」で表すとともに、基準音に対するオクターブの間隔を数字で表している。例えば、「＋１」は、基準音から１オクターブ高い音を指定しており、「−１」は、基準音から１オクターブ低い音を指定する。従って、音階情報が「１」で、オクターブ指定情報が「＋１」の場合は、基準の「ド」よりも１オクターブ高い「ド＃」を表している。
【００２６】
一方、リズム情報は、音の長さの基準とする４分音符を「１」として数字で音の長さを表している。例えば、「０．５」は、４分音符の半分の音の長さであるから、８分音符を指定し、「４」は、４分音符の４倍の音の長さであるから、全音符を指定している。
【００２７】
また、頁情報は、音高情報やリズム情報などが、楽譜データにおける何頁目に属するかを指定している。また、楽譜データには、上述した情報以外に、演奏時のテンポを指定するテンポ情報、曲の題名、作曲者名、作詞家名などを示す情報を含んでいる。
【００２８】
そして、この楽譜型情報処理装置１は、ＣＰＵ２０が演奏者の指示に基づいて対応する楽曲の楽譜データＤＭを読み出し、所定のアルゴリズムで五線譜の楽譜の画像データを頁単位で生成することにより、楽譜の各頁を表示画面２および３にそれぞれ表示できるようになっている。
【００２９】
（１．４）  楽譜型情報処理装置の処理内容
次に、この楽譜型情報処理装置１が行う各種処理について説明する。
この楽譜型情報処理装置１は、複数の動作モードを有しており、動作モードを切り替えることにより、楽譜表示、撮影、録音またはデータ通信を行う。また、本実施形態に係る楽譜型情報処理装置１は、これらの機能を利用して、インターネットなどのネットワークを介して遠隔レッスンを行う機能を有している。具体的には、この楽譜型情報処理装置１は、楽譜表示モード、撮影モード、録音モード、通信モードおよびレッスンモードの動作モードを備えている。以下、各動作モードについて説明する。
【００３０】
ａ．楽譜表示モード
楽譜表示モードは、楽器演奏のための楽譜を表示する動作モードであり、このモードが選択されると、ＣＰＵ２０は、制御プログラムメモリ２３に記録された所定のプログラムを読み出して実行することにより、楽譜データメモリ２４に記憶された楽譜データＤＭのファイル名を表示画面２および３に表示し、操作者に対して表示対象の楽譜データＤＭの選択を促す。なお、演奏者が楽譜データＤＭのファイル名を直接入力するようにしてもよいし、楽譜データメモリ２４に記憶された楽譜データＤＭをサムネール表示してその中から選択するようにしてもよい。
【００３１】
そして、操作者により楽譜データＤＭが選択されると、ＣＰＵ２０は、楽譜データメモリ２４から対応する楽譜データＤＭを読み出し、１頁目と２頁目の楽譜画像データを生成することにより、１頁目と２頁目の楽譜を表示画面２と表示画面３とにそれぞれ頁単位で表示させる。この場合の表示例を図６に示すように、表示画面２には、各種操作を指示するための操作ボタン群３０および４０がさらに表示される。具体的には、操作ボタン群３０は、頁送り、頁戻し、頁の最初に戻る、楽譜の保存および他の楽譜を表示、といった楽譜操作や、手書き画像の消去、保存および各種設定、といった処理を指示するためのソフトウェアボタンであり、操作ボタン群４０は、動作モードの切り替えを指示するためのソフトウェアボタンである。
【００３２】
また、この楽譜表示処理において、ＣＰＵ２０は、図７に示すように、表示画像Ｐを複数のレイヤに対応付けて表示するレイヤ表示処理を行い、この図では、第１レイヤＬ１に楽譜画像や操作ボタン群３０、４０の画像を表示する場合を示している。なお、ここでは、第２レイヤＬ２〜第ｎレイヤＬｎには何も画像は表示されていない。そして、ＣＰＵ２０は、液晶表示パネル１０Ａ、１０Ｂを駆動して表示画像Ｐの左領域の画像Ｐｌを液晶表示パネル１０Ａに表示させ、右領域の画像Ｐｒを液晶表示パネル１０Ｂに表示させることにより、１頁目の楽譜を表示画面２に表示し、２頁目の楽譜を表示画面３に表示させる。
【００３３】
次に、ＣＰＵ２０は、タッチパネル１１Ａ、１１Ｂを介して検出した押圧位置に基づき、操作ボタン群３０の楽譜操作の操作ボタンが押圧操作されたことを検出すると、第１レイヤＬ１に表示される楽譜の頁を変更して表示画像Ｐを更新する処理を行う。例えば、頁送りボタンが押圧操作された時は、第１レイヤＬ１に表示する楽譜画像を２頁後の楽譜画像に更新することによって、表示画面２および３に表示される楽譜をそれぞれ２頁後の楽譜に変更させる。また、ＣＰＵ２０は、タッチパネル１１Ａ、１１Ｂを介して操作ボタン群４０のいずれかが押圧操作されたことを検出すると、動作モードを切り替える処理を行う。
【００３４】
また、ＣＰＵ２０は、タッチパネル１１Ａ、１１Ｂを介して検出した押圧位置が操作ボタン群３０および４０以外の位置の場合は、この位置の軌跡の画像データ（以下、「手書きデータ」という。）を生成し、図８に示すように、この位置の軌跡を第２レイヤＬ２にリアルタイムに表示させることによって、表示画面２および３に楽譜画像と該位置の軌跡とを重ねて表示させる。また、ＣＰＵ２０は、図９または図１０に示すように、この手書きデータにその時点の楽譜の頁、楽譜データのファイル名、表示レイヤ（第２レイヤＬ２）などを特定するための付加情報をつけてＲＡＭ２２に記憶しておき、上述した楽譜頁変更処理の際に、この付加情報を参照することにより、変更後の頁に対応する手書きデータがあれば、この位置の軌跡の画像を第２レイヤＬ２に表示し、無ければ第２レイヤＬ２には何も表示させない。なお、図９は１頁分の手書きデータに付加情報をつけて記憶した場合の概念図であり、図１０は連続する２頁分の手書きデータに付加情報をつけて記憶した場合の概念図であり、いずれの方法を採用してもよい。これにより、演奏者は、一般の紙ベースの楽譜と同様に、スタイラスペンなどによって電子楽譜に直接文字や絵柄などの手書き画像を書き込むことができる。
【００３５】
ここで、本実施形態においては、手書き画像（押圧位置の軌跡）を第２レイヤＬ２に表示する場合を示しているが、ＣＰＵ２０は、操作者の設定変更に従って手書き画像を表示するレイヤを任意に変更し、他のレイヤ（第３レイヤＬ３〜第ｎレイヤＬｎ）に表示する場合でも同じ処理を行う。従って、複数のレイヤに手書き画像を書き込むことも可能である。なお、手書き画像を表示した時の色や点の大きさ（線の太さ）についても各レイヤ毎に操作者が任意に設定できるようにしてもよい。また、楽譜画像と操作ボタン群３０、４０を表示するレイヤも第１レイヤＬ１に限らず、楽譜画像と手書き画像を表示するレイヤが異なる範囲で任意のレイヤに表示させることが可能である。なお、楽譜画像と操作ボタン群３０、４０の画像は同一レイヤに限らず、異なるレイヤに表示させるようにしてもよい。
【００３６】
また、ＣＰＵ２０は、操作ボタン群３０の操作や設定に応じて第１レイヤＬ１〜第ｎレイヤＬｎの表示／非表示を制御することにより、操作者の操作に応じて楽譜と手書き画像を同時に表示させたり、楽譜のみを表示させたり、手書き画像だけを表示させたり、所定のレイヤの手書き画像だけを表示させたり、といった切り替え表示を行う。すなわち、この楽譜型情報処理装置１は、楽譜と手書き画像とを異なるレイヤで表示しているので、楽譜または手書き画像の非表示処理を簡易に行うことができる。
【００３７】
また、ＣＰＵ２０は、操作ボタン群３０の楽譜の保存の操作ボタンが操作された場合は、第２レイヤＬ２〜第ｎレイヤＬｎに表示した手書きデータおよび付加情報を読み出して、これらデータと第１レイヤＬ１に表示した楽譜データとを１つの楽譜データとしてユーザデータメモリ２５に記録する。そして、ＣＰＵ２０は、この楽譜データを表示する際は、楽譜データに含まれる付加情報に基づいて、表示する楽譜の頁に対応する手書きデータがあると判定した場合は、この手書きデータの画像を指定されたレイヤに表示することにより、前回書き込まれた手書き画像を含む楽譜を表示させることができる。
【００３８】
さらに、ＣＰＵ２０は、操作ボタン群３０の手書き画像の保存の操作ボタンが操作された場合は、指定されたレイヤの手書きデータを付加情報とともに読み出し、ユーザデータメモリ２５またはメモリカードに保存する処理を行う。また、ＣＰＵ２０は、ユーザデータメモリ２５またはメモリカードに記録された手書きデータの読み出しが指示された場合は、このデータに含まれる付加情報に基づいて、楽譜データメモリ２４に対応する楽譜データが記録されているか検索し、楽譜データが記録されている場合は、この楽譜データを読み出して表示させるとともに、表示した楽譜の頁に対応する手書きデータがある場合は、上述と同様に、この手書きデータの画像を指定されたレイヤに表示する。これにより、操作者は、自身の手書きデータだけをメモリカードに記憶して持ち運ぶようにすれば、自身の楽譜型情報処理装置１で書き込んだ手書き画像を含む楽譜を他の楽譜型情報処理装置１でも表示させることができる。
【００３９】
これにより、この楽譜表示モードにおいては、紙ベースの一般的な楽譜と同様に、楽譜の連続する頁を同時に表示したり、頁をめくることが可能なだけでなく、表示された楽譜に自由に書き込みを行うことができる。さらに、手書き画像の画像データを楽譜の画像データと異なるレイヤで管理するとともに、手書き画像の画像データには楽譜の画像データとの対応関係を記述した付加情報をつけて表示処理や保存処理を行うので、表示された楽譜の頁に応じて手書き画像を表示でき、前回書き込まれた手書き画像を含む楽譜を同一の楽譜型情報処理装置１だけでなく、他の楽譜型情報処理装置１でも表示させることができる。
【００４０】
ｂ．撮影モード
撮影モードは、演奏者を撮影するモードであり、このモードが選択されると、ＣＰＵ２０は、カメラ７の撮影画像５０を表示画面３に表示させる。図１１に撮影モードの表示例を示すように、表示画面３には、撮影画像５０に加えて、録画開始、録画停止、再生、といった処理を指示するための操作ボタン群６０が表示されるとともに、表示画面２に、撮影モードへの切り替え前に表示されていた楽譜、若しくは演奏者が指定した楽譜データＤＭに対応する楽譜のいずれかが表示されるようになっている。
【００４１】
そして、操作ボタン群６０の操作に応じて、ＣＰＵ２０は、カメラ７を介して入力した撮影画像５０に対応する動画データと、マイクロホン８を介して入力した音声データとをユーザデータメモリ２５に同期をとって記録していく録画処理、若しくは録画停止処理、またはユーザデータメモリ２５に予め記録した動画および音声のデータの再生処理などを行うようになっている。この録画処理において、動画データは、ＭＰＥＧ（Moving Picture Experts Group）２またはモーションＪＰＥＧ（Joint Photographic Experts Group）等の映像符号化アルゴリズムで圧縮符号化処理を行う一方、音声データはＭＰＥＧ１（レイヤ２）等の音声符号化アルゴリズムで圧縮符号化処理を行って記録するようにしてもよい。さらに、動画データだけを記録できるようにしてもよい。
【００４２】
また、このモードにおいても、楽譜表示モードと同様に、操作ボタン群３０の操作により楽譜操作が可能で、かつ、電子楽譜に手書き画像を書き込んだり、手書きデータだけを保存することが可能である。なお、このモードにおいては、表示画面２にしか電子楽譜が表示されないので、頁送りボタンや頁戻しボタンが押圧操作された場合は、楽譜表示モードの場合と異なり、電子楽譜を１頁単位で変更するようになっている。なお、撮影画像５０を表示画面２に表示し、電子楽譜を表示画面３に表示するようにしてもよく、操作者がいずれの表示画面に撮影画像５０を表示するかを選択できるようにしてもよい。
【００４３】
これにより、この撮影モードにおいては、電子楽譜と撮影画像５０とを隣り合う位置に表示することができるので、演奏者は、一方の表示画面２に表示された電子楽譜を見て楽器演奏などを行うと同時に、他方の表示画面３に表示された自身の演奏姿をモニタしながら簡易に撮影を行うことができる。
【００４４】
ｃ．録音モード
録音モードは、演奏音や歌声を録音するモードであり、このモードが選択されると、ＣＰＵ２０は、録音開始、録音停止、再生、といった処理を指示するための図示しない操作ボタン群を表示画面３に表示させ、これら操作ボタンの押圧操作に応じてマイクロホン８を介して入力した音声データをユーザデータメモリ２５に記録したり、ユーザデータメモリ２５に記録された音声データを再生する。
【００４５】
また、このモードにおいても、撮影モードと同様に、表示画面２には、録音モードへの切り替え前に表示されていた楽譜、若しくは演奏者が指定した楽譜データＤＭに対応する楽譜が表示される。これにより、演奏者は、一方の表示画面２に表示された電子楽譜を見て楽器演奏などを行うと同時に、他方の表示画面３に表示された操作ボタンを操作して自身の演奏音や歌声を簡易に録音することができる。
【００４６】
ｄ．通信モード
通信モードは、上記撮影モードや録音モードにてユーザデータメモリ２５に記録した動画データや音声データなどを外部機器に送信したり、外部機器から各種データを受信するモードであり、このモードが選択されると、ＣＰＵ２０は、通信を行うための図示しない操作ボタン群を表示画面２、３の両方またはいずれかに表示する。この場合、上記モードと同様に、表示画面２、３のいずれかに電子楽譜を表示するようにしてもよい。そして、これら操作ボタン群の操作に応じて操作者が指定した宛先のＰＣまたは他の楽譜型情報処理装置１との間でデータ通信を行う。また、操作ボタン群の操作に応じてブラウザを起動し、ルータを介してインターネットに接続することにより、インターネットをブラウジングすることも可能である。また、手書きデータを付加情報とともに外部機器との間で通信するようにしてもよい。
【００４７】
ｅ．レッスンモード
レッスンモードは、他の楽譜型情報処理装置１との間で、撮影データ、音声データ、ＭＩＤＩデータおよび手書きデータを双方向でリアルタイム通信するモードである。 また、このモードにおいても、撮影モードと同様に、楽譜と、楽譜の頁操作などを指示するための操作ボタン群３０が表示画面２に表示され、演奏者はこの楽譜を見て楽器を演奏することができる。
【００４８】
ここで、このモードの使用時は、楽譜型情報処置装置１と楽器のＭＩＤＩインターフェースをお互いに接続しておくことが必要であり、図１２に示す例では、この楽譜型情報処理装置１をピアノ（ＭＩＤＩ楽器）の譜面台に載置した状態でＭＩＤＩ接続が可能なように構成されている。この場合、この楽譜型情報処理装置１と楽器の接続方式には、ケーブルによる有線接続でもよいが、赤外線、マイクロ波、電磁誘導などの短距離無線通信方式を適用すれば譜面台に置くだけでＭＩＤＩ接続を完了させることが可能である。
【００４９】
図１２に示すように、このモードにおいては、インターネットなどのネットワークを介して演奏者（生徒または先生）に指定された他の楽譜型情報処理装置１（先生または生徒側の楽譜型情報処理装置）と接続すると、各々のＣＰＵ２０は、カメラ７を介して入力した動画データを接続先の楽譜型情報処理装置１にリアルタイムで送信させる一方、接続先の楽譜型情報処理装置１から受信した動画データをリアルタイムで再生して表示画面３に表示させる。この場合、カメラ７の向きを楽器の鍵盤を撮影する方向に調整することにより、図１２に示したように、先生または生徒の双方で相手の鍵盤演奏を見ることができるようになっている。
【００５０】
同時に、各々のＣＰＵ２０は、楽器からＭＩＤＩデータを入力すると、このＭＩＤＩデータを接続先の楽譜型情報処理装置１に送信する一方、接続先の楽譜型情報処理装置１からＭＩＤＩデータを受信すると、該ＭＩＤＩデータを楽器に送信して楽器の鍵盤を駆動させたり、自動演奏させる。これにより、生徒が楽器を演奏すると、先生の楽器が自動演奏（鍵盤駆動を伴う自動演奏）され、同様に、先生が楽器を演奏すると、生徒の楽器が自動演奏されることとなり、相手の演奏を実際に目と耳で確認することができる。
【００５１】
また、各々のＣＰＵ２０は、マイクロホン８を介して入力した音声の信号レベルを判定し、信号レベルが所定値を越えた場合は、音声が発せられたと判定し、該判定の期間に入力した音声の音声データを接続先の楽譜型情報処理装置１に送信する一方、接続先の楽譜型情報処理装置１から受信した音声データを再生し、スピーカ９から放音させる。これにより、先生と生徒の間で会話をすることもできる。
【００５２】
さらに、各々のＣＰＵ２０は、タッチパネル１１Ａを介して表示画面２の操作ボタン群３０および４０以外の位置が押圧操作されたことを検出すると、楽譜表示モードと同様に、押圧位置および該位置の軌跡を表示画面２の同位置に表示させることにより、手書き画像を表示させる。この場合も楽譜表示モードと同様に、手書き画像は、楽譜および再生画像を表示したレイヤとは異なるレイヤに表示され、手書き画像のみを保存することもできる。
【００５３】
また、各々のＣＰＵ２０は、操作ボタン群３０の操作に応じて該レイヤに表示された手書きデータ（付加情報を含む）を接続先の楽譜型情報処理装置１に送信する一方、接続先の楽譜型情報処理装置１から手書きデータを受信すると、対応する手書き画像を予め設定されたレイヤに表示する。この場合、受信した手書き画像は、楽譜を表示するレイヤとは異なるレイヤであって、かつ、当該楽譜型情報処理装置１の操作者によって入力された手書き画像を表示するレイヤとは異なる予め設定されたレイヤに表示される。
【００５４】
これにより、生徒と先生は、自身の楽譜型情報処理装置１に表示された楽譜に手書き画像を書き込むことができるだけでなく、接続先の相手（先生または生徒）が楽譜に書き込んだ手書き画像が自身の楽譜の同一頁に自動で表示されるので、例えば生徒は、先生からのレッスン指示が記述された自分用の楽譜を得ることができる。また、接続先の相手が書き込んだ手書き画像は、別レイヤに表示されるので、このレイヤなどの表示／非表示の設定を変更すれば、自身の手書き画像のみを含む楽譜、先生の手書き画像のみを含む楽譜などを自由に表示することが可能である。
【００５５】
これにより、このレッスンモードでは、遠隔レッスンにも拘わらず、先生と生徒との間で相手の演奏を目と耳で確認でき、会話を行うことができるばかりか、先生が生徒の楽譜にレッスン指示や評価を直接書き込むことができ、先生と生徒の個人レッスンをリアルタイムで行うことができる。
【００５６】
（２）  第２実施形態
第２実施形態に係る楽譜型情報処理装置１００は、オーケストラ演奏に使用する場合に好適なオーケストラモードを有する点と、このモードで使用する楽譜データＤＭが異なる点を除いて上述した第１実施形態に係る楽譜型情報処理装置１と同一であるため、同一の部分は同一の符号を示して示し、重複する説明は省略する。
【００５７】
オーケストラモードで使用する楽譜データ（以下、「オケ用楽譜データ」）ＤＭＯは、図１３に示すように、 オーケストラの楽器パート（パート１、パート２、……パートｍ）毎に、第１実施形態で述べた楽譜データＤＭを有するように構成されている。これにより、楽譜型情報処理装置１００においては、ＣＰＵ２０が、オケ用楽譜データＤＭＯのうち予め設定された１つの楽器パートの音高情報、リズム情報および頁情報を読み出すことにより、第１実施形態と同様に、五線譜の楽譜の画像データを生成して楽譜の連続する頁を表示画面２および３に表示できるようになっている。
【００５８】
また、楽譜型情報処理装置１００においては、ＣＰＵ２０がオケ用楽譜データＤＭＯのうち予め設定された複数の楽器パートの音高情報およびリズム情報を読み出して、楽器毎に五線譜の楽譜を生成し、各楽器パートの小節を上下方向に配列した五線譜の楽譜の画像データを生成することにより、図１４に示すように、複数の楽器パート（flauti、Oboi、Clarinetti、……、Contrabasso）の楽譜の連続する頁を表示画面２および３に表示できるようになっている。なお、楽器名、曲の題名、作曲者名などを示す情報も楽譜データは含んでいる。
【００５９】
次にオーケストラモードについて説明する。オーケストラモードは、複数の楽譜型情報処理装置１００で無線ネットワーク（例えば、Bluetoothにおける「ピコネット」など）を構成し、この無線ネットワーク内で楽譜データＤＭＯ（ＤＭ）や手書きデータを通信するモードである。なお、無線ネットワークは、予め構成されていてもよいし、オーケストラモードが選択された時に、同一モードの近接する複数の楽譜型情報処理装置１００との間で構成するようにしてもよい。
【００６０】
また、このモードが選択されると、各楽譜情報処理装置１００においては、ＣＰＵ２０により楽器パートを選択するための図示しない操作画面が表示され、操作者に対して楽器パートの選択を促すようになっている。そして、この無線ネットワーク内のいずれかの楽譜型情報処理装置１００からオケ用楽譜データＤＭＯが同報通信されることにより、この無線ネットワーク内の全ての楽譜型情報処理装置１にオケ用楽譜データＤＭＯが送信され、各々のＣＰＵ２０により予め設定された楽器パートの楽譜が各楽譜型情報処理装置１００にそれぞれ表示されるようになっている。
【００６１】
従って、演奏者の楽譜型情報処理装置１００には、その演奏者が演奏する楽器パートの楽譜が表示され、指揮者の楽譜型情報処理装置１００には、図１４に示したように、全ての楽器パートを含む楽譜が表示されるようになっている。この場合、各楽譜型情報処理装置１００では、楽譜表示モードの場合と同様に、操作ボタン群３０の操作に応じて楽譜の頁を変更したり、操作者によって入力された手書き画像を表示するようになっている。なお、このモードにおいても、手書き画像は、楽譜表示モードと同様に、楽譜画像や操作ボタン群３０、４０を表示するレイヤとは異なるレイヤに表示され、手書き画像の非表示／表示の切り替えや保存などが可能である。
【００６２】
また、複数の楽器パートを表示している楽譜型情報処理装置１００、つまり、指揮者の楽譜型情報処理装置１００においては、手書き画像が入力されると、ＣＰＵ２０は、手書き操作された位置（検出した押圧位置）に基づいて、該位置に近接する楽譜の楽器パートを検出する処理を行う。そして、ＣＰＵ２０は、該位置に近接する楽器パートを検出すると、図１５に示すように、その楽器パートを含む付加情報をつけて対応する手書きデータを同報通信するようになっている。この場合、指揮者の楽譜型情報処理装置１で表示する楽譜（図１４参照）と演奏者の楽譜型情報処理装置１で表示する楽譜（図６参照）は情報量の相違から頁の値が異なるため、付加情報には、楽器パートに加えて、手書きデータの表示位置を特定する情報（小節を特定する情報、楽音を特定する情報など）が含められる。
【００６３】
一方、指揮者の楽譜型情報処理装置１００以外の楽譜型情報処理装置１００においては、該手書きデータを受信すると、各々のＣＰＵ２０がヘッダに含まれる楽器パートが当該楽譜型情報処理措置１００に予め設定されている楽器パートと一致するか否かを判定し、一致しない場合は受信データを削除する。一方、一致した場合は、該手書きデータに付加された付加情報に基づいて、表示する楽譜の指示された小節部分にこの手書きデータの画像を指定されたレイヤに表示する。すなわち、指揮者が電子楽譜に書き込んだ手書き画像は、書き込み位置に最も近い楽器パートの楽譜を表示している演奏者の楽譜型情報処理装置１００に自動で送信されて同一位置に表示される。従って、演奏者は、自身の楽譜型情報処置装置１に表示している楽譜に指揮者の指示が書き込まれるので、指揮者の指示内容と指示する位置とを速やかに、かつ正確に知ることができる。
【００６４】
これにより、このオーケストラモードでは、図１６に示すように、指揮者の手書きによる指示が即座に対応する演奏者の楽譜型情報処理装置１００に表示されるので、演奏者は速やかに指揮者の指示を理解できるとともに、指揮者の指示を自身の楽譜型情報処理装置１００に保存して、後で確認できるようになっている。なお、演奏者の楽譜型情報処理装置１００においても、所定操作を行った場合に、自身の手書き画像を指揮者の楽譜型情報処理装置１００に送信でき、指揮者の楽譜型情報処理装置１に表示させることができるようになっている。
【００６５】
（３）  補足
本願発明は、上述した実施形態に限らず種々の態様にて実施することができる。例えば、以下のような変形実施が可能である。
（３．１）
上述の各実施形態では、楽譜型情報処理装置１、１００がレッスンモードの場合は、接続先の楽譜型情報処理装置１、１００との間で撮影データ、音声データ、ＭＩＤＩデータおよび手書きデータを双方向で通信する場合について述べたが、図１７に示すように、生徒の側に先生がいる場合などは、操作者の設定により、撮影データ、音声データおよびＭＩＤＩデータの通信は行わず、手書きデータのみを通信するようにしてもよい。また、個人レッスンを行う場合に限らず、先生１人が複数の生徒に行うレッスンにも適用することができる。この場合は先生が手書きデータの送り先の生徒の楽譜型情報処理装置１を指定できるようにすればよい。
【００６６】
（３．２）
また、上述の第２実施形態のオーケストラモードにおいては、楽譜データや手書きデータの受信側の楽譜型情報処理装置１００が、予め設定された楽器パートに基づいて受信処理や楽譜表示処理を行う場合について述べたが、送信側の楽譜型情報処置装置１００に、無線ネットワークに収容される楽譜型情報処理装置１００の宛先や楽器パートを記憶させておき、送信側の楽譜型情報処理装置１００がこの記憶データに基づき、楽器パート毎の楽譜データや手書きデータを所定の宛先の楽譜型情報処理装置１００に送信するようにしてもよい。なお、楽譜型情報処理装置１００の宛先や楽器パートの情報は、無線ネットワークを構成するときに楽譜型情報処理装置１００間で各自のデータを送受信し、互いに共有するようにしてもよい。
【００６７】
（３．３）
また、上述の各実施形態では、この楽譜型情報処理装置１、１００が楽譜表示モード、撮影モード、録音モード、通信モード、レッスンモードおよびオーケストラモードを有する場合について述べたが、少なくとも楽譜表示モードがあればよく、楽譜と手書き画像を異なるレイヤで表示できたり、手書き画像のみを保存したり、挿入できればよい。
【００６８】
（３．４）
また、上述の各実施形態では、タッチパネル１１Ａ、１１Ｂにより楽譜画像に手書きを行う場合について述べたが、タッチパネル以外のタブレットやマウス等の各種のポインティングデバイス（位置検出手段）を広く適用することができる。
【００６９】
（３．５）
また、上述の各実施形態では、楽譜操作などをソフトウェアキーで行う場合を述べたが、これらの操作を行うためのハードウェアキーを設けるようにしてもよい。また、各種操作をソフトウェアキーやハードウェアキーで行う場合に限らず、マイクロホン８を介して入力した音声に基づいて各種操作を行うようにしてもよい。
【００７０】
（３．６）
上述の各実施形態では、楽譜型情報処理装置１、１００が表示装置（表示画面、液晶表示パネルなど）を備え、この表示装置に電子楽譜などを表示させる場合について述べたが、この楽譜型情報処理装置１、１００に接続された他の表示装置に電子楽譜を表示させるようにしてもよい。
【００７１】
（３．７）
また、上述の各実施形態では、電子楽譜を表示する楽譜型情報処理装置１、１００に手書き画像の書き込み、保存、挿入、遠隔レッスンなどを行う場合について述べたが、電子楽譜以外の情報を表示する場合でも手書き画像の書き込みなどを可能にしてもよく、楽譜型情報処理装置に限らず、各種の情報を表示装置に表示させるＰＣ、ＰＤＡ（Personal Digital Assistants）などのコンピュータ（情報処理装置を含む）に本発明を広く適用することができる。
【００７２】
従って、様々な教習システム、例えば、国語、算数などの問題を記述したテストをこの種の装置に表示し、生徒側の装置からこのテストに手書き入力された回答を先生側の装置に送信し、先生側の装置から手書き入力された採点結果を生徒側の装置に送信する、といった教習システムに本発明を広く適用することができる。この場合も各々の装置において、テスト、回答（手書き入力）、採点結果（手書き入力）を異なるレイヤで管理（表示、送信、保存）するとともに、手書きデータにテストの対応する頁を含む付加情報をつけてテストと対応付けておくことにより、複数頁のテストを使った教習システムを実現することができ、前回の回答や採点結果を非表示にすれば、何度も復習することができる。
【００７３】
（３．８）
また、上述の各実施形態では、手書き画像のレイヤ表示、指定されたレイヤの手書きデータの保存、送受信、挿入などの処理を行うための制御プログラムを予め楽譜型情報処理装置１、１００に格納しておく場合について述べたが、図１８に示すように、この制御プログラムを磁気記録媒体、光記録媒体、半導体記録媒体などのコンピュータが読み取り可能な記録媒体１２０に記録し、コンピュータ１３０がこのプログラムを読み取って実行するようにしてもよい。また、図１９に示すように、この制御プログラムをサーバ１４０に格納し、ネットワークを介してサーバ１４０が送信要求のあった楽譜型情報処理装置１、１００などの情報処理装置やコンピュータ（ＰＣ）１５０などに送信するようにしてもよい。
【００７４】
【発明の効果】
上述したように本発明によれば、電子楽譜などの表示画像に自由に書き込みができ、書き込まれた手書き画像のデータだけを保存したり、他の機器との間で送受信することができるので、様々な教習システムに適用することができる。
【図面の簡単な説明】
【図１】  本発明の第１実施形態に係る楽譜型情報処理装置の外観図である。
【図２】  楽譜型情報処理装置の表示画面の構成を示す図である。
【図３】  楽譜型情報処理装置の筐体を閉じた状態を示す外観図である。
【図４】  楽譜型情報処理装置の電気的構成を示すブロック図である。
【図５】  楽譜データを示す図である。
【図６】  楽譜型情報処理装置の楽譜表示モードの説明に供する図である。
【図７】  楽譜型情報処理装置の楽譜表示時の表示画像のレイヤ構造を説明する図である。
【図８】  楽譜型情報処理装置の楽譜と手書き画像表示時の表示画像のレイヤ構造を説明する図である。
【図９】  手書きデータの管理方法の説明に供する図である
【図１０】  手書きデータの他の管理方法の説明に供する図である
【図１１】  楽譜型情報処理装置の撮影モードの説明に供する図である。
【図１２】  楽譜型情報処理装置のレッスンモードの説明に供する図である。
【図１３】  オーケストラ用の楽譜データを示す図である。
【図１４】  楽譜型情報処理装置のオーケストラモードの説明に供する図である。
【図１５】  オーケストラモードの時の手書きデータの送信の説明に供する図である。
【図１６】  楽譜型情報処置装置のオーケストラモードの使用例の説明に供する図である
【図１７】  楽譜型情報処置装置のレッスンモードの他の使用例の説明に供する図である。
【図１８】  制御プログラムをコンピュータが読み取り可能な記録媒体に記録する場合の説明に供する図である。
【図１９】  制御プログラムをネットワークを介してサーバから送信する場合の説明に供する図である。
【符号の説明】
１、１００……楽譜型情報処理装置、２、３……表示画面、４……操作スイッチ群、３０、４０……操作ボタン群、５、６……筐体、７……カメラ、８……マイクロホン、９……スピーカ、１０Ａ、１０Ｂ……液晶表示パネル、１１Ａ、１１Ｂ……タッチパネル（位置検出手段）、２０……ＣＰＵ（表示制御手段）、２１……バス、２２……ＲＡＭ、２３……制御プログラムメモリ、２４……楽譜データメモリ、２５……ユーザデータメモリ、２６……無線通信部、２７……ＭＩＤＩインターフェース、２８……音源、５０……撮影画像、ＤＭ、ＤＭＯ……楽譜データ、Ｌ１……Ｌｎ……レイヤ。
【図１】
0003738720.tif 000002
【図２】
0003738720.tif 000003
【図３】
0003738720.tif 000004
【図４】
0003738720.tif 000005
【図５】
0003738720.tif 000006
【図６】
0003738720.tif 000007
【図７】
0003738720.tif 000008
【図８】
0003738720.tif 000009
【図９】
0003738720.tif 000010
【図１０】
0003738720.tif 000011
【図１１】
0003738720.tif 000012
【図１２】
0003738720.tif 000013
【図１３】
0003738720.tif 000014
【図１４】
0003738720.tif 000015
【図１５】
0003738720.tif 000016
【図１６】
0003738720.tif 000017
【図１７】
0003738720.tif 000018
【図１８】
0003738720.tif 000019
【図１９】
0003738720.tif 000020